(57)【要約】【課題】  お年寄りが住む協同住宅において、部屋の中でお互いに会話ができるので、寂しさをまぎらわせたりすることができることを目的とする。【解決手段】  利用者のアンケートを受けて、利用者に適した協同住宅を選択する協同住宅選定コンピュータ２０と、利用者が所有する利用者端末コンピュータ５０ｄｄと、協同住宅の管理人が所有する管理人室端末コンピュータ４０ｄと、がネットワークを介して接続される。利用者端末コンピュータ５０ｄｄには、タッチパネル付きのモニター５０ａが接続される。管理人室端末コンピュータ４０ｄには、タッチパネル付きのモニター４０ａが接続される。【選択図】  図１
2006165871.tif 000002
【特許請求の範囲】
【請求項１】
利用者のアンケートを受けて、当該利用者に適した協同住宅を選択する協同住宅選定コンピュータと、
前記利用者が所有する利用者端末コンピュータと、
前記協同住宅の管理人が所有する管理人室端末コンピュータと、
がネットワークを介して接続されることを特徴とする協同住宅ネットワークシステム。
【請求項２】
前記利用者端末コンピュータには、タッチパネル付きのモニターが接続されることを特徴とする請求項１記載の協同住宅ネットワークシステム。
【請求項３】
前記管理人室端末コンピュータには、タッチパネル付きのモニターが接続されることを特徴とする請求項１又は２記載の協同住宅ネットワークシステム。
【請求項４】
前記利用者端末に接続されるタッチパネル付きのモニターには、スピーカが備わることを特徴とする請求項１から３のいずれか１項記載の協同住宅ネットワークシステム。
【請求項５】
前記管理人室端末コンピュータに接続されるタッチパネル付きのモニターには、スピーカが備わることを特徴とする請求項１から４のいずれか１項記載の協同住宅ネットワークシステム。
【請求項６】
前記利用者端末に接続されるタッチパネル付きのモニターには、カメラが備わることを特徴とする請求項１から５のいずれか１項記載の協同住宅ネットワークシステム。
【請求項７】
前記管理人室端末コンピュータに接続されるタッチパネル付きのモニターには、カメラが備わることを特徴とする請求項１から６のいずれか１項記載の協同住宅ネットワークシステム。
【発明の詳細な説明】
【技術分野】
【０００１】
本発明は、集合住宅における協同住宅ネットワークシステムに関し、特に、住居者同士でコミュニケーションがとれる協同住宅ネットワークシステムに関する。
【背景技術】
【０００２】
近年、高齢化に伴って、お年寄りが集合住宅に集まって住むことが多くなっている。
【０００３】
お年寄りは、手や足などの身体に不自由な箇所があることが多いので、生活そのものも大変な場合が多い。
【０００４】
特許文献１には、集合住宅外部に備えられた端末から集合住宅の各住戸に備えつけられた端末に、緊急情報、生活情報等を配信したり、外部端末と各住戸との間で、法律・税務・医療・健康・介護等の相談を行ったり、オンラインショッピングを行ったりする集合住宅等用電子情報・サービスシステムが開示されている。
【０００５】
特許文献２には、単身者、高齢単身者、血縁者の集合体、在宅勤務を行う者を含む血縁者の集合体、非血縁者の集合体、血縁世帯の集合体、非血縁世帯の集合体、血縁世帯及び非血縁世帯からなる集合体、の少なくとも一つを含む家族のかたちを形成する第１のデータ群と、家族で行う方法、サービスを利用する方法、ネットワークを利用する方法の少なくとも一つの方法によりなされる家事、育児、介護、仕事、交流を含む家族の機能及びその担い方を示す第２のデータ群と、を用いて、第１のデータ群に含まれる家族員の構成、属性、ライフスタイルを含む一定条件に基づいて、第１のデータ群と、第２のデータ群を組み合わせ、この組み合わせを家族像モデルとして特定する家族像モデルの形成方法が開示されている。
【０００６】
特許文献３には、自分の住んでいる地域での支援サービスをインターネットを使って、サービスを受ける側とサービスを行う側を仲介するシステムが開示されている。
【０００７】
特許文献４には、メンバーの情報をメンバー間で送受信することでコミュニティにおけるコミュニケーションを図るコミュニティ支援装置が開示されている。
【０００８】
特許文献５には、サークル内の情報ネットを形成する技術が開示されている。
【特許文献１】特開２００１−２６５９４３号公報
【特許文献２】特開２００２−０４９６５８号公報
【特許文献３】特開２００２−１１７１３３号公報
【特許文献４】特開２００３−０９１６０３号公報
【特許文献５】特開２００３−１６２６１１号公報
【発明の開示】
【発明が解決しようとする課題】
【０００９】
しかしながら、上記の従来技術では、以下の点で困難があった。
【００１０】
特許文献１に開示された技術では、入居者間で情報交流を行うことはできなかった。
【００１１】
また、特許文献２に開示された技術では、高齢者のネットワークで病気などを早く察知できるが、老人同士だけだと、早く察知できない場合があった。
【００１２】
また、特許文献３に開示された技術では、仲介サービスはしてくれるが、管理人や老人同士で、リアルタイムで会話はできなかった。
【００１３】
また、特許文献４に開示された技術では、コミュニティにおける情報共有はできるが、管理人による監視はできなかった。また、視覚による情報が主眼がおかれており、相手の顔を見ながら、会話をすることができなかった。
【００１４】
また、特許文献５に開示された技術では、インターネット上での仲良しグループを作り、心を癒すことはできるが、一人暮らしの老人が安心して生活することはできなかった。
【００１５】
そこで、本発明は、上記の課題を解決することを目的とする。
【課題を解決するための手段】
【００１６】
本発明は、上記課題を解決するための手段として、利用者のアンケートを受けて、当該利用者に適した協同住宅を選択する協同住宅選定コンピュータと、前記利用者が所有する利用者端末コンピュータと、前記協同住宅の管理人が所有する管理人室端末コンピュータと、がネットワークを介して接続されることを特徴とする。
【００１７】
また、本発明は、前記利用者端末コンピュータには、タッチパネル付きのモニターが接続されることを特徴とする。
【００１８】
また、本発明は、前記管理人室端末コンピュータには、タッチパネル付きのモニターが接続されることを特徴とする。
【００１９】
また、本発明は、前記利用者端末に接続されるタッチパネル付きのモニターには、スピーカが備わることを特徴とする。
【００２０】
また、本発明は、前記管理人室端末コンピュータに接続されるタッチパネル付きのモニターには、スピーカが備わることを特徴とする。
【００２１】
また、本発明は、前記利用者端末に接続されるタッチパネル付きのモニターには、カメラが備わることを特徴とする。
【００２２】
また、本発明は、前記管理人室端末コンピュータに接続されるタッチパネル付きのモニターには、カメラが備わることを特徴とする。
【発明の効果】
【００２３】
本発明によれば、お年寄りが住む協同住宅において、部屋の中でお互いに会話ができるので、寂しさをまぎらわせたりすることができる。
【発明を実施するための最良の形態】
【００２４】
以下、添付図面を参照して本発明を実施するための最良の実施の形態を説明する。
【００２５】
［構成の説明］
図１は、本発明の一実施の形態の構成を示すブロック図である。
【００２６】
図１に示すように、本実施の形態は、協同住宅選定コンピュータ１０と、協同住宅コンピュータ２０と、顔映像判断コンピュータ３０と、管理人室システム４０と、利用者システム５０と、があって、利用者システム５０の利用者端末コンピュータ５０ｄと協同住宅接続コンピュータ２０とが、インターネット６０を介して接続されている。
【００２７】
利用者端末コンピュータ５０ｄは、タッチパネル付きのモニター５０ａに接続されていて、タッチパネル付きモニター５０ａには、スピーカ５０ｂとカメラ５０ｃとが接続されている。
【００２８】
管理人室システム４０は、管理人室端末コンピュータ４０ｄとタッチパネル付きのモニター４０ａとが接続されていて、タッチパネル付きモニター４０ａには、スピーカ４０ｂとカメラ４０ｃとが接続されている。
【００２９】
協同住宅選定コンピュータ１０は、ネット協同住宅の申し込みがあったとき、複数の協同住宅から最適な協同住宅を選定する。
【００３０】
協同住宅接続コンピュータ２０は、同じネット協同住宅に住むもの同士を呼び出し、接続するコンピュータである。
【００３１】
顔映像判断コンピュータ３０は、顔の映像から人物を特定するためのコンピュータである。
【００３２】
図２及び図３は、以下で説明するある部屋のモニターの待機画面を示す図である。
【００３３】
図２は、部屋番号１０１のモニターの待機画面である。各部屋番号の箇所に触れると、その部屋のモニターに接続されて、その部屋の住人と会話をすることができる。
【００３４】
図３は、管理人室のモニターの待機画面である。図２の場合同様に、会話をしたい部屋の部屋番号の箇所に触れると、その部屋の住人と会話をすることができる。
【００３５】
［動作の説明］
図４は、本発明の一実施の形態におけるネット協同住宅を申し込みする際の動作を示すフローチャートである。
【００３６】
図４に示すように、まず、利用者は、インターネット上のネット協同住宅を運営する会社のサイトに接続し、そのサイトのＷｅｂアンケートに答える（ステップＳ１０１）。
【００３７】
協同住宅選択コンピュータ１０は、アンケートの結果をもとに、その利用者に適した協同住宅をいくつか選択してサイト上に提示する（ステップＳ１０２）。
【００３８】
利用者は提示された協同住宅から一箇所を選定して（ステップＳ１０３）、処理は終了する。
【００３９】
図５は、本発明の一実施の形態におけるネット協同住宅において住人間におけるコミュニケーションのやりかたを示すフローチャートである。
【００４０】
図５に示すように、協同住宅の一室に備え付けられたモニターに表示された、話をしたい相手の部屋番号にタッチする（ステップＳ２０１）。
【００４１】
タッチされた部屋番号のモニターに接続されて、その部屋の住人が応答する（ステップＳ２０２）。
【００４２】
接続された状態でその部屋の住人と会話をする（ステップＳ２０３）。
【００４３】
図６は、本発明の一実施の形態において、管理人室への各種の相談を行う際の動作を示すフローチャートである。
【００４４】
図６に示すように、モニターに表示された管理人室にタッチする（ステップＳ３０１）。
【００４５】
管理人室のモニターに接続されて、管理人が応答する（ステップＳ３０２）。
【００４６】
管理人は、応答すると同時にその住人の個人情報をモニターに表示する（ステップＳ３０３）。
【００４７】
管理人は、呼び出した住人の顔と個人情報を見ながら、各種の相談をする（ステップＳ３０４）。
【００４８】
図７は、本発明の一実施の形態において、管理人からの緊急の安否を確認する際の動作を示すフローチャートである。
【００４９】
図７に示すように、管理人は、管理室にあるモニターの部屋番号をタッチする（ステップＳ４０１）。
【００５０】
その部屋番号のモニターに接続され、その部屋番号の住人が応答する（ステップＳ４０２）。
【００５１】
その住人の顔を見ながら、安否を確認する（ステップＳ４０３）。
【産業上の利用可能性】
【００５２】
本発明は、一人暮らしをするお年寄りの協同住宅において、各部屋間で会話ができることに利用できる。
【図面の簡単な説明】
【００５３】
【図１】本発明の一実施の形態の構成を示すブロック図である。
【図２】ある部屋のモニターの待機画面を示す図である。
【図３】管理人室のモニターの待機画面を示す図である。
【図４】本発明の一実施の形態におけるネット協同住宅を申し込みする際の動作を示すフローチャートである。
【図５】本発明の一実施の形態におけるネット協同住宅において住人間におけるコミュニケーションのやりかたを示すフローチャートである。
【図６】本発明の一実施の形態において、管理人室への各種の相談を行う際の動作を示すフローチャートである。
【図７】本発明の一実施の形態において、管理人からの緊急の安否を確認する際の動作を示すフローチャートである。
【符号の説明】
【００５４】
１０  協同住宅選定コンピュータ
２０  協同住宅接続コンピュータ
３０  顔映像判断コンピュータ
４０  管理人システム
５０  利用者システム
６０  インターネット
７０  管理人室端末コンピュータ
【図１】
2006165871.tif 000003
【図２】
2006165871.tif 000004
【図３】
2006165871.tif 000005
【図４】
2006165871.tif 000006
【図５】
2006165871.tif 000007
【図６】
2006165871.tif 000008
【図７】
2006165871.tif 000009